(57)【特許請求の範囲】
【請求項１】
地図データを記憶する記憶手段と、
前記記憶手段に記憶されている所定の範囲の地図を表示させる地図表示手段と、
ユーザの前記所定の範囲の地図上でのドラッグ操作に応じて表示される移動軌跡に沿って移動経路を指定する指定手段と、
前記ドラッグ操作による移動経路の指定が完了した後に、前記地図表示手段により表示された前記所定の範囲の地図を区分するブロックを表示させるブロック表示手段と、
前記ブロック表示手段により表示された前記ブロックのうち、前記指定手段により指定された前記移動経路を含む前記ブロックの地図データを他の装置に転送する転送手段と
を備えることを特徴とする地図データ管理装置。
【請求項２】
地図データを記憶する記憶手段と、
前記記憶手段に記憶されている所定の範囲の地図を表示させる地図表示手段と、
ユーザの前記所定の範囲の地図上でのドラッグ操作に応じて表示される移動軌跡に沿って移動経路を指定する指定手段と、
前記地図表示手段により表示された前記所定の範囲の地図を区分するブロックを表示させるブロック表示手段と、
前記ブロック表示手段により表示された前記ブロックのうち、前記指定手段により指定された前記移動経路を含む前記ブロックの地図データを他の装置に転送する転送手段と
を備える地図データ管理装置における地図データ管理方法において、
前記記憶手段に記憶されている前記所定の範囲の地図を、前記地図表示手段に表示させる地図表示ステップと、
前記地図表示ステップにおいて表示された前記所定の範囲の地図上で、前記指定手段に前記移動経路を指定させる指定ステップと、
前記ドラッグ操作による移動経路の指定が完了した後に、前記地図表示ステップにおいて表示された前記所定の範囲の地図を区分する前記ブロックを、前記ブロック表示手段に表示させるブロック表示ステップと、
前記ブロック表示ステップにおいて表示された前記ブロックのうち、前記指定ステップにおいて指定された前記移動経路を含む前記ブロックの地図データを、前記転送手段によって、他の装置に転送させる転送ステップと
を含むことを特徴とする地図データ管理方法。
【請求項３】
地図データを記憶する第１の記憶手段と、
前記第１の記憶手段に記憶されている所定の範囲の地図を表示させる地図表示手段と、
ユーザの前記所定の範囲の地図上でのドラッグ操作に応じて表示される移動軌跡に沿って移動経路を指定する指定手段と、
前記ドラッグ操作による移動経路の指定が完了した後に、前記地図表示手段により表示された前記所定の範囲の地図を区分するブロックを表示させるブロック表示手段と、
前記ブロック表示手段により表示された前記ブロックのうち、前記指定手段により指定された前記移動経路を含む前記ブロックの地図データを転送する転送手段と、
前記移動経路を含む前記ブロックの地図データの転送を受け、記憶する第２の記憶手段と
を備えることを特徴とする地図データ管理システム。
【発明の詳細な説明】
【０００１】
【発明の属する技術分野】
本発明は、地図データ管理装置および方法、並びに地図データ管理システムに関し、特に地図データを記憶するメモリの容量を小さくすることができる地図データ管理装置および方法、並びに地図データ管理システムに関する。
【０００２】
【従来の技術】
図１８は、従来のナビゲーション装置の構成例を表している。記憶装置３は、ＣＤ−ＲＯＭドライブなどよりなるものであり、地図データを記憶する。ＧＰＳ装置５は、図示せぬ衛星などからの位置データを受信し、この位置データから現在位置を検出し、制御装置１に出力する。制御装置１は、記憶装置３に記憶されている位置データを読み出し、表示装置４に表示させるとともに、ＧＰＳ装置５により検出された現在位置を、表示装置４の地図上に表示させる。入力装置２は、制御装置１に所定の指令を入力するとき、操作される。
【０００３】
図１９は、記憶装置３に記憶されている地図データ（米国の地図データ）を模式的に表している。この例においては、地図が、地図道路エリア１，２，３…に区分され、各エリア毎に、一枚のＣＤ−ＲＯＭに記憶されている。
【０００４】
制御装置１は、ＧＰＳ装置５が検出、出力する現在位置の近傍の地図データを、記憶装置３から読み出し、表示装置４に出力し、表示させる。このとき、制御装置１はまた、表示装置４の地図上に、現在位置を表すマークを表示させる。従って、使用者は、表示装置４の表示から、現在位置とその周囲の地図を確認することができる。
【０００５】
【発明が解決しようとする課題】
従来のナビゲーション装置は、このように、記憶装置３に全ての地図データを記憶させるようにしている。従って、記憶装置３の容量が大きくなり、装置が大型化する課題があった。それでも、自動車に搭載して使用する場合は、装置が多少大型化しても、それほど問題にはならないが、使用者が携帯して用いる携帯用ナビゲーション装置においては、携帯すること自体が困難となってしまう課題があった。
【０００６】
また、図１９に示すように、各エリア毎に異なるＣＤ−ＲＯＭに地図データが記憶されているため、例えば、地図道路エリア１内においてしか移動しない場合においては、１枚のＣＤ−ＲＯＭだけで済むが、地図道路エリア１と地図道路エリア４にまたがる地域を移動するような場合、その間の距離が短くても、地図道路エリア１と地図道路エリア４の地図データを、それぞれ記憶させた２枚のＣＤ−ＲＯＭが必要となる。さらに、最悪の場合、地図道路エリア１、地図道路エリア２、地図道路エリア４および地図道路エリア５の交差する地域の近傍を移動するような場合には、それぞれのエリアの地図データを記録した４枚のＣＤ−ＲＯＭが必要となる。従って、移動する距離が短くても、携帯するＣＤ−ＲＯＭの枚数は、減少させることができない課題があった。
【０００７】
本発明はこのような状況に鑑みてなされたものであり、地図データを記憶するための容量を少なくすることができるようにし、以て、携帯用に適用することができるようにするものである。
【０００８】
【課題を解決するための手段】
本発明の地図データ管理装置は、地図データを記憶する記憶手段と、記憶手段に記憶されている所定の範囲の地図を表示させる地図表示手段と、ユーザの所定の範囲の地図上でのドラッグ操作に応じて表示される移動軌跡に沿って移動経路を指定する指定手段と、ドラッグ操作による移動経路の指定が完了した後に、地図表示手段により表示された所定の範囲の地図を区分するブロックを表示させるブロック表示手段と、ブロック表示手段により表示されたブロックのうち、指定手段により指定された移動経路を含むブロックの地図データを他の装置に転送する転送手段とを備えることを特徴とする。
【０００９】
本発明の地図データ管理方法は、地図データを記憶する記憶手段と、記憶手段に記憶されている所定の範囲の地図を表示させる地図表示手段と、ユーザの所定の範囲の地図上でのドラッグ操作に応じて表示される移動軌跡に沿って移動経路を指定する指定手段と、地図表示手段により表示された所定の範囲の地図を区分するブロックを表示させるブロック表示手段と、ブロック表示手段により表示されたブロックのうち、指定手段により指定された移動経路を含むブロックの地図データを他の装置に転送する転送手段とを備える地図データ管理装置における地図データ管理方法において、記憶手段に記憶されている所定の範囲の地図を、地図表示手段に表示させる地図表示ステップと、地図表示ステップにおいて表示された所定の範囲の地図上で、指定手段に移動経路を指定させる指定ステップと、ドラッグ操作による移動経路の指定が完了した後に、地図表示ステップにおいて表示された所定の範囲の地図を区分するブロックを、ブロック表示手段に表示させるブロック表示ステップと、ブロック表示ステップにおいて表示されたブロックのうち、指定ステップにおいて指定された移動経路を含むブロックの地図データを、転送手段によって、他の装置に転送させる転送ステップとを含むことを特徴とする。
【００１０】
本発明の地図データ管理システムは、地図データを記憶する第１の記憶手段と、第１の記憶手段に記憶されている所定の範囲の地図を表示させる地図表示手段と、ユーザの所定の範囲の地図上でのドラッグ操作に応じて表示される移動軌跡に沿って移動経路を指定する指定手段と、ドラッグ操作による移動経路の指定が完了した後に、地図表示手段により表示された所定の範囲の地図を区分するブロックを表示させるブロック表示手段と、ブロック表示手段により表示されたブロックのうち、指定手段により指定された移動経路を含むブロックの地図データを転送する転送手段と、移動経路を含むブロックの地図データの転送を受け、記憶する第２の記憶手段とを備えることを特徴とする。
【００１１】
本発明の地図データ管理装置および地図データ管理方法においては、記憶されている所定の範囲の地図が表示され、ユーザの所定の範囲の地図上でのドラッグ操作に応じて表示される移動軌跡に沿って移動経路が指定される。そして、ドラッグ操作による移動経路の指定が完了した後に、地図を区分するブロックが表示され、移動経路を含むブロックの地図データが他の装置に転送される。
【００１２】
本発明の地図データ管理システムにおいては、記憶されている所定の範囲の地図が表示され、ユーザの所定の範囲の地図上でのドラッグ操作に応じて表示される移動軌跡に沿って移動経路が指定される。そして、ドラッグ操作による移動経路の指定が完了した後に、地図を区分するブロックが表示され、移動経路を含むブロックの地図データが転送される。そして、その地図データが記憶される。
【００１４】
【発明の実施の形態】
図１は、本発明の地図データ管理装置を応用した携帯用（ノート型）パーソナルコンピュータの構成例を表している。この実施例においては、携帯用ナビゲーション装置としての携帯用パーソナルコンピュータは、キーボード、マウスなどよりなる入力装置１２と、入力装置１２からの指令に対応して、ナビゲーション、その他の各種の処理を実行する制御装置１１と、地図データを記憶する記憶装置１３と、地図および現在位置の他、各種の表示を行う表示装置１４と、現在位置を検出し、制御装置１１に出力するＧＰＳ装置１５とにより構成されている。
【００１５】
図２は、図１の携帯用ナビゲーション装置としての携帯用（ノート型）パーソナルコンピュータのより詳細な構成例を示している。ＣＰＵ４１は、バスライン５７を介して各種のＩＣなどと接続されている。ＲＯＭ５１は、装置全体のシステムプログラムの他、例えばワードプロセッサ機能用のカナ漢字変換プログラムおよびそのための辞書テーブル、さらに手書き入力に対する認識プログラムおよびそのための辞書テーブルなどが書き込まれている。ワーキング用ＲＡＭ５２には、動作上必要なデータが随時記憶される。また、記憶装置１３としてのハードディスク７１には、地図データ、各種のアプリケーションプログラムなどが適宜記憶される。
【００１６】
バックアップ用ＲＡＭ５３には、バックアップ用の電池５４（バッテリ５０とは別の電池）が接続されており、装置本体の電源がオフされた場合においても必要なデータをバックアップするようになっている。タイマＩＣ５５は電池５４に接続され、水晶振動子５６からのクロックを計数して、その時点における年月日および時刻のデータを出力している。Ｖ−ＲＡＭ４４を有するＬＣＤコントローラ４３やタブレットコントローラ４６も、バスライン５７を介してＣＰＵ４１に接続されている。表示装置１４は、所定の表示を行うＬＣＤ８５と、ペン８６と共動して、入力を検出するタブレット８４により構成されている。
【００１７】
音声処理回路５８は、ソケット８１乃至８３からの入力やＣＰＵ４１からの指令に対応して所定の音声信号を発生し、加算器５９に出力する。音声メモリ６１はＣＰＵ４１に制御され、予め記憶している所定の音声（例えば「次の交差点を右折して下さい」といったナビゲーション用の音声案内）を加算器５９に出力する。加算器５９は音声処理回路５８の出力と音声メモリ６１の出力とを加算し、音声音量コントローラ６０を介してスピーカ８７に出力する。音量コントローラ６０には、音量切換スイッチ８９が接続され、これを操作することにより音量を制御することができるようになっている。
【００１８】
蛍光板（バックライト部）８８には、電源回路６４（電源スイッチをオンしたとき、バッテリ５０あるいはＡＣアダプタから電力が供給される）からの電力がインバータ回路６３を介して供給されている。キーマウスインタフェース６２には、入力装置１２が接続されている。キーマウスインタフェース６２は、入力装置１２のスイッチのオン／オフ、その他の操作に対応する信号をＣＰＵ４１に供給する。インタフェース７２は、ＲＳ２３２Ｃケーブルを介して接続された外部機器（図３の据置型パーソナルコンピュータ）との間でデータを授受する。
【００１９】
ソケット８１には、ＧＰＳ装置１５としてのＩＣカード７０が接続され、ＣＰＵ４１はＩＣカードインタフェース６６を介して、そのＩＣカード７０（ＧＰＳ装置１５）とデータ、プログラム等の授受ができるようになっている。また、ソケット８２，８３には、その他のボードが適宜接続され、拡張用インタフェース６８を介してＣＰＵ４１と接続されるようになっている。
【００２０】
なお、ＧＰＳ装置を構成するＩＣカード７０は、アンテナ７０Ａを備え、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に従ったＧＰＳ機能を有するものであり、一般に、既に市販されている。このようなＩＣカードについては、例えば、ＮＩＫＫＥＩ  ＥＬＥＣＴＲＯＮＩＣＳ  １９９５．２．１３（ｎｏ．６２８）第１８７頁乃至第１９４頁に、「携帯型パソコンや時計へＧＰＳ受信ボードの用途広がる」として、紹介されている。
【００２１】
次に、その動作について説明する。この携帯用パーソナルコンピュータをナビゲーション装置として使用する場合、スロット８１に、ＧＰＳ装置１５としてのＩＣカード７０を装着する。そして、この携帯用パーソナルコンピュータを、据置型パーソナルコンピュータと、図３に示すように、ＲＣ−２３２Ｃケーブル３１で接続する。据置型パーソナルコンピュータも、携帯用パーソナルコンピュータと同様に、各種の入力を行う入力装置２２、入力装置２２からの指令に対応して各種の処理を実行する制御装置２１、地図データ、地図データを転送するためのアプリケーションプログラムなどを記憶する記憶装置２３および各種の表示を行う表示装置２４とにより構成されている。
【００２２】
次に、据置型パーソナルコンピュータの入力装置２２の所定のキーを操作して、記憶装置２３に記憶されているナビゲーション用の地図データを転送するためのアプリケーションプログラムを制御装置２１のＣＰＵ（図示せず）にロードさせ、図４のフローチャートに示す処理を実行させる（携帯用パーソナルコンピュータの入力装置１２の所定のキーを操作して、ＩＣカード７０に記憶されている地図データ転送のアプリケーションプログラムをＣＰＵ４１にロードさせ、その処理を実行するようにしてもよい）。
【００２３】
最初に、ステップＳ１で、制御装置２１は、記憶装置２３に記憶されている地図データを読み出し、表示装置２４に出力し、表示させる。これにより、表示装置２４に、図５に示すような、地図が表示される。
【００２４】
制御装置２１は、次に、ステップＳ２において、準備操作メニュー表示処理を実行し、図５に示すように、準備操作メニューを表示させる。
【００２５】
図５に示すように、準備操作メニューには、各種のツールがアイコンとして表示される。使用者は、ステップＳ３において、各種のツールの中から、経路設定ツールを選択する。この選択は、入力装置２２を構成するマウスを操作することで、表示装置２４に表示されたカーソルをそのツール上に移動させた後、マウスをクリックすることで行うことができる。
【００２６】
制御装置２１は、経路設定ツールが選択されると、図６に示すように、ペンを表示装置２４に表示させる。使用者は、ステップＳ４において、このペンを用いて、移動経路を入力する。この移動経路の入力は、マウスでペンをクリックし、そのまま移動経路に沿ってドラッグすることで行われる。このとき、制御装置２１は、表示装置２４に、図７に示すように、ペンの移動軌跡に沿って移動経路を表示させる。使用者は、この表示を見ながら、移動経路を入力することができる。
【００２７】
移動経路の入力が完了したとき、次に、ステップＳ５に進み、使用者は、図８に示すように、経路地図転送選択ツールを準備操作メニューから選択する。この選択も、カーソルをそのツール上に移動してマウスをクリックすることで行われる。
【００２８】
制御装置２１は、経路地図転送ツールが選択されたとき、ステップＳ６に進み、ブロック表示を行う。すなわち、図８に示すように、全国の範囲をカバーする地図（表示中の地図）を格子状にＮ個のブロックに区分する。そして、ステップＳ４で、入力された移動経路およびそれから所定距離の地域を含むブロックについては、他のブロックと区別して表示する。図８の実施例においては、移動経路を含むブロックＩ，Ｋ，Ｌが、太線で示されている。そして、このときさらに、図９に示すように、太線で示すブロックの地図データを、携帯用パーソナルコンピュータの記憶装置１３（ハードディスク７１）にコピー（転送）するか否かを判断させるメニューとして、ＯＫの文字およびＣａｎｃｅｌの文字のアイコンが表示される。
【００２９】
使用者は、ステップＳ７で、太線で囲まれたブロックの地図データだけをハードディスク７１に転送すればよいか否かを判定し、よいと判定した場合においては、ステップＳ８に進み、ＯＫの文字のアイコンをカーソルを移動してクリックすることで選択する。
【００３０】
ＯＫが選択されたとき、制御装置２１は、ステップＳ９において、選択されたブロックの地図データをコピーする処理を実行する。
【００３１】
すなわち、制御装置２１は、記憶装置２３に記憶されているブロックＩ，Ｋ，Ｌの地図データを読み出し、ＲＳ２３２Ｃケーブル３１を介して、携帯用パーソナルコンピュータの制御装置１１に出力する。制御装置１１のＣＰＵ４１は、このデータをインタフェース７２を介して取り込み、ハードディスク７１に転送し、記憶させる。この転送（コピー）動作中、制御装置２１は、表示装置２４に、図１０に示すように、現在コピー中であることを表す文字Ｃｏｐｙｉｎｇを表示させる。また、コピーを途中で中断させる場合のために、Ｃａｎｃｅｌのボタンアイコンは、表示したままの状態とする。
【００３２】
使用者は、ステップＳ７において、ブロックＩ，Ｋ，Ｌだけでは地図データが不足すると判定したとき、あるいは、途中で処理を終了させたいと考えたとき、ステップＳ１０に進み、キャンセルの入力を行う。すなわち、図９に示されているＣａｎｃｅｌのボタンアイコン上にカーソルを移動させ、クリックする操作を行う。制御装置２１は、このキャンセルが入力されたとき、ステップＳ９の処理をスキップする。従って、地図データの転送処理は行われないことになる。
【００３３】
使用者は、ブロックＩ，Ｋ，Ｌだけでなく、その他のブロックの地図データも取り込みたい場合においては、そのブロックまたはそのブロックの近傍を通過するように、移動経路を再度入力するようにする。
【００３４】
以上のようにして、例えば、地図道路ブロックＩ，Ｋ，Ｌのデータが、ハードディスク７１に転送されると、ハードディスク７１においては、図１１に示すように、地図道路ブロックＩ，Ｋ，Ｌの地図データを、対応する経度と緯度データとともに記憶する。
【００３５】
図１２は、他の転送処理の例を表している。この実施例においては、ステップＳ２１において、地図表示処理を行い、ステップＳ２２で、準備操作メニュー表示処理を実行する。以上の処理は、図３におけるステップＳ１，Ｓ２の処理と同様の処理である。これにより、表示装置２４には、例えば、図１３に示すような、準備操作メニューが表示される。
【００３６】
次に、ステップＳ２３に進み、使用者は、準備操作メニュー内のコピーツールを選択する。制御装置２１は、このコピーツールが選択されたとき、ステップＳ２４に進み、ブロック表示を行わせる。すなわち、表示装置２４に表示されている地図上に、図１４に示すように、格子状に線を表示し、地図をＮ個のブロックに区分させる。また、このとき、コピーすべきブロックの指定が完了したとき、操作されるボタンアイコンを「完了？」の文字を付加して表示させる。
【００３７】
次に、ステップＳ２５に進み、使用者は、コピーすべきブロックを指定する。この指定は、カーソルを所定のブロック上に移動させ、クリックすることで行われる。指定されたブロックの周囲は、図１５に示すように、太線で表示される。図１５の実施例においては、ブロックＩ，Ｊ，Ｋ，Ｌの４つのブロックが指定されている。使用者は、転送すべきブロックの指定を完了したとき、ステップＳ２６に進み、指定完了入力を行う。この入力は、図１５の右下に表示されている「完了？」のボタンアイコンをカーソルで指定し、クリックすることで行われる。
【００３８】
このように、指定完了入力が行われると、制御装置２１は、図１６に示すように、ＯＫとＣａｎｃｅｌのボタンアイコンを表示装置２４に表示させる。使用者は、ステップＳ２７において、この状態でコピーをするか否かを判定し、コピーする場合においては、ステップＳ２８に進み、ＯＫのボタンアイコンを操作する。このとき、制御装置２１は、ステップＳ２９に進み、指定されたブロックをコピーする処理を実行する。
【００３９】
すなわち、上述した場合と同様にして、制御装置２１は、記憶装置２３から、ブロックＩ，Ｊ，Ｋ，Ｌの地図データを読み出し、制御装置１１に転送する。ＣＰＵ４１は、この地図データをハードディスク７１に書き込ませる。制御装置２１は、この転送処理が実行されている最中、図１７に示すように、Ｃｏｐｙｉｎｇの文字を表示させる。
【００４０】
ステップＳ２７において、コピーをする必要がないと判断したとき、ステップＳ３０に進み、使用者は、Ｃａｎｃｅｌのボタンアイコンを操作する。このＣａｎｃｅｌが入力されると、制御装置２１は、地図データの転送を行わずに、取込処理を終了させる。
【００４１】
図３の実施例の場合、移動経路を入力すると、その移動経路とその近傍の地図データを含むブロックのデータが自動的に選択されるが、図１２の実施例においては、転送すべきブロックを、使用者が手動操作して選択するようにしたので、希望するブロックの地図データを容易に取り込むことが可能となる。
【００４２】
以上のようにして、ハードディスク７１には、最低限必要な地図データのみが書き込まれる。従って、その容量は小さいものとすることができる。
【００４３】
このように、ハードディスク７１に、地図データを取り込んだ後は、ＣＰＵ４１は、入力装置１２より所定の指令（ナビゲーション動作の開始）が指令されると、通常の場合と同様のナビゲーション処理を実行する。
【００４４】
すなわち、ＩＣカード７０は、図示せぬ衛星からの電波を受信し、現在位置を検出し、ＣＰＵ４１に出力する。ＣＰＵ４１は、現在位置周辺の地図データをハードディスク７１から読み出し、ＬＣＤ８５に表示させる。また、このとき、現在位置を表すマークもＬＣＤ８５に重畳表示させる。使用者は、このＬＣＤ８５の表示を見て、現在位置とその周辺の状態を確認することができる。
【００４５】
なお、上記実施例においては、指定されたブロックの全ての地図データを取り込むようにしたが、例えば、自動車で高速道路を移動するような場合、高速道路以外の地図はそれほど必要ではない。そこで、高速道路で移動する区間の地図データとしては、高速道路に関する地図データのみを抽出して、ハードディスク７１に転送し、記憶させるようにすることもできる。このようにすれば、データ量をさらに少なくすることができる。
【００４６】
また、上記実施例では、ＩＣカード７０のプログラムをＣＰＵ４１に転送し、実行させるようにしたが、ＩＣカード７０に実行させるようにしてもよい。
【００４７】
以上、本発明を携帯用パーソナルコンピュータに応用した場合を例として説明したが、本発明は、その他の地図データ管理装置に応用することが可能である。
【００４８】
【発明の効果】
以上のように、本発明によれば、他の装置の記憶容量を小さくすることができ、他の装置を携帯するのに有利となる。
【００４９】
また、本発明によれば、記憶手段の記憶容量を小さくすることができ、小型化、低コスト化が可能となる。
【００５０】
さらに、本発明によれば、携帯に有利なナビゲーション装置を実現することが可能となる。
【００５１】
また、操作性が改善され、迅速かつ確実に地図データを転送することができる。
【図面の簡単な説明】
【図１】本発明を適用した携帯用パーソナルコンピュータの構成例を示すブロック図である。
【図２】図１の実施例のより詳細な構成例を示すブロック図である。
【図３】図１の実施例の接続状態を説明する図である。
【図４】図１の実施例の動作を説明するフローチャートである。
【図５】図３の表示装置２４における表示例を示す図である。
【図６】図３の表示装置２４における表示例を示す図である。
【図７】図３の表示装置２４における表示例を示す図である。
【図８】図３の表示装置２４における表示例を示す図である。
【図９】図３の表示装置２４における表示例を示す図である。
【図１０】図３の表示装置２４における表示例を示す図である。
【図１１】図４のステップＳ９における処理の結果を説明する図である。
【図１２】図１の実施例の他の処理例を示すフローチャートである。
【図１３】図３の表示装置２４における表示例を示す図である。
【図１４】図３の表示装置２４における表示例を示す図である。
【図１５】図３の表示装置２４における表示例を示す図である。
【図１６】図３の表示装置２４における表示例を示す図である。
【図１７】図３の表示装置２４における表示例を示す図である。
【図１８】従来のナビゲーション装置の構成例を示すブロック図である。
【図１９】図１８の記憶装置３の地図データの記憶状態を説明する図である。
【符号の説明】
１  制御装置
２  入力装置
３  記憶装置
４  表示装置
５  ＧＰＳ装置
１１  制御装置
１２  入力装置
１３  記憶装置
１４  表示装置
１５  ＧＰＳ装置
４１  ＣＰＵ
７０  ＩＣカード
７１  ハードディスク
８５  ＬＣＤ
【図１】
0003830562.tif 000002
【図２】
0003830562.tif 000003
【図３】
0003830562.tif 000004
【図４】
0003830562.tif 000005
【図５】
0003830562.tif 000006
【図６】
0003830562.tif 000007
【図７】
0003830562.tif 000008
【図８】
0003830562.tif 000009
【図９】
0003830562.tif 000010
【図１０】
0003830562.tif 000011
【図１１】
0003830562.tif 000012
【図１２】
0003830562.tif 000013
【図１３】
0003830562.tif 000014
【図１４】
0003830562.tif 000015
【図１５】
0003830562.tif 000016
【図１６】
0003830562.tif 000017
【図１７】
0003830562.tif 000018
【図１８】
0003830562.tif 000019
【図１９】
0003830562.tif 000020